(57)【特許請求の範囲】
【請求項１】
蛇口と浄水器とに接続され、前記蛇口から流出する原水が前記浄水器を経由する状態と経由しない状態とを切り換える切換弁であって、
前記蛇口に固定される本体部であって、前記原水が導入される原水導入口と、前記原水を外部へと流出させる第１流出口と、前記浄水器を経由した処理水を流出させる第２流出口と、前記浄水器の入口に接続される第１ポートと、前記浄水器の出口に接続される第２ポートと、を備える本体部と、
前記本体部に取り付けられた切換レバーと、
前記本体部内に設けられ、前記原水導入口に連通している弁室と、
前記弁室の内壁面を構成し、前記第１流出口に連通する第１開口と、前記第２流出口に連通する第２開口と、前記第１ポートに連通する第３開口と、前記第２ポートに連通する第４開口と、が設けられた弁座部と、
前記切換レバーの回動に応じて回転する回転板によって構成され、前記弁座部に対向するように配置されている弁体と、
を備え、
前記弁体は、前記弁体を厚み方向に貫通する貫通孔と、前記弁座部の方を向く面に設けられた流路溝と、を有し、
前記弁座部において、前記第１開口と前記第３開口と前記第４開口とは、前記弁体が回転したときに前記貫通孔と連通可能になる位置に設けられており、
前記流路溝は、前記貫通孔が前記第３開口に連通する位置にあるときに、前記第４開口と前記第２開口とを接続し、前記貫通孔が前記第４開口に連通する位置にあるときに、前記第３開口と前記第２開口とを接続する、切換弁。
【請求項２】
請求項１記載の切換弁であって、さらに、
前記弁体を前記弁座部に向かって付勢する付勢部材と、
前記弁体と前記弁座部との間に配置され、前記第１開口と、前記第２開口と、前記第３開口と、前記第４開口のそれぞれの周囲をシールするシール部材と、
を備える、切換弁。
【請求項３】
請求項１または請求項２記載の切換弁であって、
前記弁座部において、前記第２開口と前記第３開口と第４開口とは、前記第２開口を中心に一列に配列されており、
前記弁体において、前記流路溝は、前記回転軸が通る中心から前記弁体の外周縁の手前まで延びており、前記貫通孔は、前記中心を挟んで、前記流路溝の前記外周縁側の端部とは反対側に設けられ、
前記弁体は、前記流路溝の前記回転軸側の端部が前記第２開口と重なる位置に配置されている、切換弁。
【請求項４】
蛇口から流出する原水を浄化可能な浄水システムであって、
請求項１から請求項３のいずれか一項に記載の切換弁と、
前記浄水器と、
を備える、浄水システム。
【発明の詳細な説明】
【技術分野】
【０００１】
本開示は、切換弁および浄水システムに関する。
【背景技術】
【０００２】
蛇口には、浄水器に接続される切換弁が取り付けられる場合がある。そうした切換弁は、蛇口から流出した水である原水を、原水のまま流出させる状態と、浄水器を経由させて浄化させた浄水として流出させる状態と、を切り換えることができる。例えば、下記の特許文献１に開示されている切換弁は、切換ハンドルの回転に応じて内部の円柱状の切換回転子が回転することによって吐出通路の開閉状態が切り換わり、原水の流出と、浄水の流出と、を切り換える。
【先行技術文献】
【特許文献】
【０００３】
【特許文献１】特開２０１２−２１９５２５号公報
【発明の概要】
【発明が解決しようとする課題】
【０００４】
そうした切換弁では、浄水器内での原水の流れを通常とは逆転させることによって浄水器内を洗浄する、いわゆる逆洗の状態への切換を簡易にできるようにしたいという要望があった。しかしながら、上記の特許文献１のような円柱状の切換回転子を用いた切換弁の構成では、切換回転子が、原水の圧力を側面に受けて位置ずれするなどし、切換弁の内部で原水の一部が想定されていない流路へと漏洩してしまう場合があった。そのため、上記の特許文献１の切換弁において逆洗の状態への切換を可能に構成したとしても、逆洗に切り換えたときに上記のような切換弁内での水漏れが発生し、浄水器に送り出される原水の圧力が低下し、浄水器を十分に洗浄できなくなる可能性があった。
【課題を解決するための手段】
【０００５】
本開示の技術は、以下の形態として実現することが可能である。
【０００６】
（１）本開示の一形態は、蛇口と浄水器とに接続され、前記蛇口から流出する原水が前記浄水器を経由する状態と経由しない状態とを切り換える切換弁として提供される。この形態の切換弁は、前記蛇口に固定される本体部であって、前記原水が導入される原水導入口と、前記原水を外部へと流出させる第１流出口と、前記浄水器を経由した処理水を流出させる第２流出口と、前記浄水器の入口に接続される第１ポートと、前記浄水器の出口に接続される第２ポートと、を備える本体部と、前記本体部に取り付けられた切換レバーと、前記本体部内に設けられ、前記原水導入口に連通している弁室と、前記弁室の内壁面を構成し、前記第１流出口に連通する第１開口と、前記第２流出口に連通する第２開口と、前記第１ポートに連通する第３開口と、前記第２ポートに連通する第４開口と、が設けられた弁座部と、前記切換レバーの操作に応じて回転する回転板によって構成され、前記弁座部に対向するように配置されている弁体と、を備える。前記弁体は、前記弁体を厚み方向に貫通する貫通孔と、前記弁座部の方を向く面に設けられた流路溝と、を有し、前記弁座部において、前記第１開口と前記第３開口と前記第４開口とは、前記弁体が回転したときに前記貫通孔と連通可能になる位置に設けられており、前記流路溝は、前記貫通孔が前記第３開口に連通する位置にあるときに、前記第４開口と前記第２開口とを接続し、前記貫通孔が前記第４開口に連通する位置にあるときに、前記第３開口と前記第２開口とを接続する。
この形態の切換弁によれば、切換レバーの操作によって回転板によって構成された弁体を回転させて弁体の流路溝が接続する開口を切り換えることにより、浄水器における原水の流れを通常とは逆転させる逆洗の状態への切換を簡易に行うことができる。また、この形態の切換弁によれば、弁室に導入される原水の圧力によって弁体を構成する回転板が弁座部の方へ押し付けられるため、弁体と弁座部との間の水密性が高められている。よって、逆洗の状態のときに、弁体と弁座部との間から原水の一部が漏洩して、浄水器に送り出される原水の圧力が低下することを抑制でき、原水の圧力不足により、浄水器が十分に洗浄できなくなってしまうことを抑制できる。
【０００７】
（２）上記形態の切換弁は、さらに、前記弁体を前記弁座部に向かって付勢する付勢部材と、前記弁体と前記弁座部との間に配置され、前記第１開口と前記第２開口と前記第３開口と前記第４開口のそれぞれの周囲をシールするシール部材と、を備えてよい。
この形態の切換弁によれば、付勢部材によって弁体に付与される付勢力と、シール部材とによって弁体と弁座部との間の水密性を高められるため、切換弁からの水漏れを、より一層、抑制することができる。
【０００８】
（３）上記形態の切換弁において、前記弁座部において、前記第２開口と前記第３開口と第４開口とは、前記第２開口を中心に一列に配列されており、前記弁体において、前記流路溝は、前記回転軸が通る中心から前記弁体の外周縁の手前まで延びており、前記貫通孔は、前記中心を挟んで、前記流路溝の前記外周縁側の端部とは反対側に設けられ、前記弁体は、前記流路溝の前記回転軸側の端部が前記第２開口と重なる位置に配置されてよい。
この形態の切換弁によれば、原水を浄水器で浄化させる状態から逆洗の状態へと切り換えるときの弁体の回転角度を大きくすることができるため、切換弁の誤操作によって逆洗の状態にされてしまうことを抑制できる。
【０００９】
（４）本開示の他の形態は、蛇口から流出する原水を浄化可能な浄水システムとして提供される。この形態の浄水システムは、上記形態の切換弁と、前記浄水器と、を備える。
この形態の浄水システムによれば、浄水器の逆洗の状態への切り換えを、切換弁に対する切換操作によって、切換弁からの水漏れが抑制された状態で簡易に行うことができる。
【図面の簡単な説明】
【００１０】
【図１】切換弁を備える浄水システムの構成を示す概略図。
【図２】切換弁を上方から見たときの第１の概略斜視図。
【図３】切換弁を下方から見たときの第２の概略斜視図。
【図４】切換弁の概略分解斜視図。
【図５】切換弁のハウジングを下方から見た時の概略斜視図。
【図６】弁座部に正対する方向に見たときのハウジングの概略側面図。
【図７】ハウジングの第１の概略断面図。
【図８】ハウジングの第２の概略断面図。
【図９Ａ】弁体の第１面を示す概略斜視図。
【図９Ｂ】弁体の第２面を示す概略斜視図。
【図１０】第１流出口から原水を流出させるときの水の経路を示す模式図。
【図１１】シャワー穴から原水を流出させるときの水の経路を示す模式図。
【図１２】第２流出口から浄水を流出させるときの水の経路を示す模式図。
【図１３】逆洗のときの水の経路を示す模式図。
【発明を実施するための形態】
【００１１】
１．実施形態：
図１は、本実施形態の切換弁１０を備える浄水システム１００の構成を示す概略図である。浄水システム１００は、蛇口２００に取り付けられる切換弁１０と、切換弁１０を介して供給された原水を浄化する浄水器１１０と、切換弁１０と浄水器１１０とを接続する第１導水管１２１および第２導水管１２２を備える。なお、本明細書において「原水」とは、蛇口２００から流出する水であって浄水器１１０で浄化されていない水を意味しており、水道水の原材料となる水を意味する「原水」とは異なる概念の用語である。
【００１２】
浄水システム１００では、切換弁１０が有する切換レバー１１を回動させる操作をすることによって、原水を原水のまま切換弁１０から流出させる状態と、原水を、浄水器１１０を経由させて浄化して切換弁１０から流出させる状態と、を切り換えることができる。また、浄水システム１００では、切換弁１０の切換レバー１１の操作によって、浄水器１１０における水の流れを、浄水器１１０において原水を浄化するときとは逆転させる、いわゆる逆洗の状態へと切り換えることもできる。
【００１３】
浄水器１１０において原水を浄化するときには、蛇口２００から切換弁１０に流入した原水は、第１導水管１２１を通じて浄水器１１０の入口に供給される。浄水器１１０に供給された原水は、浄水器１１０内のカートリッジ１１５を通過することにより浄化され、浄水器１１０の出口に接続されている第２導水管１２２を通じて切換弁１０へと戻され、切換弁１０を通じて外部に流出される。
【００１４】
逆洗の状態では、蛇口２００から切換弁１０に流入した原水は、図１において第２導水管１２２に示されている矢印とは逆に、第２導水管１２２を通じて浄水器１１０の出口へと供給される。この場合には、原水は、上述した原水の浄化を行う場合とは逆の方向にカートリッジ１１５内を流れる。これにより、原水の浄化の際にカートリッジ１１５内のフィルターに付着した異物等を除去することができる。カートリッジ１１５から除去された異物を含む水は、図１において第１導水管１２１に示されている矢印とは逆に、浄水器１１０の入口から第１導水管１２１を通じて切換弁１０へと流れ、切換弁１０を通じて外部に排出される。こうした逆洗が行われることにより、浄水器１１０のフィルターの目詰まりが解消され、カートリッジ１１５の交換時期を延ばすことができる。
【００１５】
以下では、浄水器１１０で浄化された水を「浄水」とも呼び、逆洗によって浄水器１１０から排出される水を「逆洗排水」とも呼ぶ。また、切換弁１０から浄水器１１０に供給され、浄水器１１０を経由して、切換弁１０に戻された水を「処理水」とも呼ぶ。つまり、本明細書において「処理水」は、「浄水」と「逆洗排水」の両方を含む概念である。
【００１６】
図２は、切換弁１０を上方から見たときの第１の概略斜視図である。図３は、切換弁１０を下方から見たときの第２の概略斜視図である。図４は、切換弁１０の分解概略斜視図である。図５は、切換弁１０のハウジング１３を下方から見たときの概略斜視図である。
【００１７】
図２および図３に示すように、切換弁１０は、切換レバー１１が取り付けられている本体部１２を備える。図４および図５に示すように、本体部１２は、樹脂材料の射出成形によって作製されるハウジング１３を有する。ハウジング１３の内部には、後述する弁室１５や複数の流路５１〜５５が形成されている。
【００１８】
図２に示すように、本体部１２の上端には、蛇口２００に固定される蛇口固定部２０が設けられている。蛇口固定部２０は、蛇口２００から流出する原水を本体部１２の内部に導入するための原水導入口２１を有する。図４に示すように、蛇口固定部２０は、環状の固定部材２２と、円盤状のシールプレート２３と、によって構成される。固定部材２２は、ハウジング１３の上端に設けられた上端開口１６の外周に取り付けられる。蛇口２００は、固定部材２２の内周縁に嵌って固定される。シールプレート２３は、中央に原水導入口２１を有し、固定部材２２によってハウジング１３の上端開口１６内に固定される。
【００１９】
図３に示すように、本体部１２の下端には、原水や処理水を流出させる流出部２５が設けられている。流出部２５は、原水を流出させる第１流出口２６と、処理水を流出させる第２流出口２７と、を有する。第１流出口２６は、流出部２５の中央に位置し、第２流出口２７は、第１流出口２６に隣り合う位置に形成されている。流出部２５における第１流出口２６と第２流出口２７の周りには、複数の微細な貫通孔群によって構成されたシャワー穴２８が設けられている。
【００２０】
図４に示すように、流出部２５は、第１流出口２６と第２流出口２７とシャワー穴２８とを有する円盤状の出口カバー部材３０と、出口カバー部材３０を保持する環状の保持部材３１と、によって構成される。出口カバー部材３０は、ハウジング１３の下端に設けられた図５に示す下端開口１７を覆うように配置される。出口カバー部材３０の外周縁部は、下端開口１７の外周に固定される保持部材３１の内周縁部によって支持される。図５に示すように、下端開口１７内には、第１流出口２６に接続される原水導出流路５１の出口と、第２流出口２７に接続される処理水導出流路５２の出口と、原水シャワー流路５５の出口と、が開口している。原水導出流路５１、処理水導出流路５２、および、原水シャワー流路５５については後述する。
【００２１】
図２および図３に示すように、本体部１２は、側面部に、第１ポート３３と、第２ポート３４と、を有している。第１ポート３３には、図１に示す第１導水管１２１が接続され、第２ポート３４には図１に示す第２導水管１２２が接続される。第１ポート３３と第２ポート３４とは、図５に示すハウジング１３の側面部に形成された側面開口１８に取り付けられる。側面開口１８内には、第１ポート３３に接続される第１ポート流路５３と第２ポート３４に接続される第２ポート流路５４のそれぞれの出口が開口している。図４に示すように、本実施形態では、第１ポート３３と第２ポート３４とは一体化された部品として側面開口１８に取り付けられる。
【００２２】
図２および図３に示すように、切換レバー１１は、本体部１２の側面部に取り付けられている。図４および図５に示すように、ハウジング１３の側面部には、側方に延び出ている中空の筒部１９が設けられており、切換レバー１１は、筒部１９の先端開口に取り付けられている。筒部１９の内部空間は、切換弁１０の弁室１５を構成する。弁室１５は、原水導入口２１に連通している。
【００２３】
図４に示すように、筒部１９内の弁室１５には、シール部材３５と、弁体３６と、付勢部材３７と、回転軸部材３８と、軸保持部材３９とがこの順で収容されている。シール部材３５はゴム製の円盤状の部材によって構成される。シール部材３５は、弁体３６と後に参照する図６に示す弁座部４０との間に配置される。シール部材３５には、弁座部４０に設けられている図６に示す後述の５つの開口４１〜４５のそれぞれに連通する５つの貫通孔が形成されている。シール部材３５によって５つの開口４１〜４５のそれぞれの周囲がシールされる。これにより、弁座部４０と弁体３６との間の水密性が高められ、弁座部４０と弁体３６との間における水漏れの発生が抑制される。
【００２４】
弁体３６は、樹脂製の円盤状の回転板によって構成され、シール部材３５を挟んで、後述する弁座部４０と対向するように配置される。弁体３６は、切換レバー１１の回動操作に応じた回転角度で回転軸を中心に回転する。本実施形態では、弁体３６の回転軸は、弁体３６の中心軸と一致する。後述するように、切換弁１０では、弁体３６の回転角度に応じて切換弁１０内での水の経路が切り換わる。切換弁１０の構成の詳細は後述する。
【００２５】
付勢部材３７は、コイルスプリングによって構成され、弁体３６と回転軸部材３８との間に配置され、弁体３６を弁座部４０に向かって付勢する。付勢部材３７の付勢力によって、弁体３６とシール部材３５との間およびシール部材３５と弁座部４０との間の水密性が高められ、弁座部４０と弁体３６との間における水漏れの発生が、より一層、抑制される。
【００２６】
回転軸部材３８は、弁体３６の回転軸上に配置される。回転軸部材３８の先端は弁体３６に連結され、後端は切換レバー１１にねじ止めによって連結されている。回転軸部材３８は、切換レバー１１の回転運動を弁体３６に伝達する。軸保持部材３９は、切換レバー１１に面する位置に配置され、ビス止めによって筒部１９内に固定される。軸保持部材３９、中央に貫通孔を有しており、その貫通孔内に回転軸部材３８を回転可能な状態で保持する。
【００２７】
図６は、弁座部４０に正対する方向に見たときのハウジング１３の概略側面図である。弁座部４０は、ハウジング１３の筒部１９内に区画されている弁室１５の内壁面によって構成されている。より具体的には、弁座部４０は、弁室１５を構成している円筒状の空間の底壁面によって構成されている。弁座部４０には、５つの開口４１〜４５が設けられている。
【００２８】
第１開口４１は、弁座部４０の下端に寄った位置に設けられている。第２開口４２は、弁座部４０の中央に設けられており、第１開口４１の上に位置している。第３開口４３と第４開口４４とは、第２開口４２を中心に挟んで横方向に配列されている。第３開口４３は、第２開口４２に対して、第１ポート３３および第２ポート３４が取り付けられる側面開口１８の反対側に設けられ、第４開口４４は側面開口１８側に設けられている。第５開口４５は、第２開口４２の上に位置し、第２開口４２を挟んで第１開口４１とは反対側に設けられている。
【００２９】
図７および図８を参照して、各開口４１〜４５が連通しているハウジング１３内部に設けられている５つの流路５１〜５５を説明する。図７は、第１開口４１、第２開口４２、および、第５開口４５のそれぞれの中心を通る図６に示す７−７切断におけるハウジング１３の概略断面図である。図８は、第２開口４２、第３開口４３、および、第４開口４４のそれぞれの中心を通る図６に示す８−８切断におけるハウジング１３の概略断面図である。
【００３０】
図７に示すように、第１開口４１は、ハウジング１３の下端開口１７内で開口している原水導出流路５１に連通している。上述したように、原水導出流路５１は、原水を外部へと流出させる図３に示す第１流出口２６に接続される。第２開口４２は、下端開口１７内で開口している処理水導出流路５２に連通している。上述したように、処理水導出流路５２は、処理水を外部へと流出させる図３に示す第２流出口２７に接続される。第５開口４５は、原水を図３に示すシャワー穴２８へと導く流路である原水シャワー流路５５を通じて、下端開口１７内の空間に連通している。
【００３１】
図８に示すように、第３開口４３は、側面開口１８内で開口している第１ポート流路５３に連通している。上述したように、第１ポート流路５３は、第１導水管１２１を通じて浄水器１１０の入口に接続される第１ポート３３に接続される。第４開口４４は、側面開口１８内で開口している第２ポート流路５４に連通している。上述したように、第２ポート流路５４は、第２導水管１２２を通じて浄水器１１０の出口に接続される第２ポート３４に接続される。
【００３２】
図９Ａおよび図９Ｂを参照して、弁体３６の構成を説明する。図９Ａは、弁体３６の第１面６１を示す概略斜視図であり、図９Ｂは、弁体３６の第２面６２を示す概略斜視図である。弁体３６の第１面６１は、切換弁１０に組み付けられたときに、弁座部４０とは反対側を向く面であり、第２面６２は、弁座部４０の方を向く面である。
【００３３】
図９Ｂに示すように、弁体３６は、第２面６２に流路溝６３を有している。流路溝６３は、弁体３６の回転軸ＲＸが通る中心から外周縁の手前まで直線状に延びている。図９Ａに示すように、弁体３６の第１面６１には、流路溝６３を内部に収容する凸部６４が形成されている。
【００３４】
図９Ａおよび図９Ｂに示すように、弁体３６は、厚み方向に貫通する２つの貫通孔６５，６６を有する。２つの貫通孔６５，６６は、弁体３６が回転し、いずれか一方が弁座部４０の開口４１，４３，４４，４５のうちのいずれか１つに重なって連通する位置にあるときには、他方が弁座部４０によって閉塞される位置関係にある。本実施形態では、第１貫通孔６５は、弁体３６の中心を挟んで、外周縁側の流路溝６３の端部とは反対側の位置に設けられている。第２貫通孔６６は、弁体３６の中心からの距離が、第１貫通孔６５と同じ位置であって、中心側の流路溝６３の端部より、外周縁側の流路溝６３の端部に寄った位置に設けられている。
【００３５】
図１０〜図１３を参照して、弁体３６の回転による切換弁１０における水の経路の切換を説明する。なお、図１０〜図１３では、便宜上、切換弁１０の一部の部品の図示を省略してある。
【００３６】
図１０は、第１流出口２６から原水を流出させるときの水の経路を示す模式図である。この状態のときには、弁体３６は、切換レバー１１の操作によって、第１貫通孔６５が第１開口４１に重なって連通し、第２貫通孔６６がシール部材３５によって閉塞される位置に回転する。これによって、蛇口２００から原水導入口２１へと導入された原水は、弁室１５へと流れ、第１貫通孔６５および第１開口４１を通じて原水導出流路５１へと流れ、第１流出口２６から外部へと流れ出る。
【００３７】
図１１は、シャワー穴２８から原水を流出させるときの水の経路を示す模式図である。この状態には、弁体３６が図１０の状態から右回りに４５°回転するように切換レバー１１を操作することによって切り換わる。この状態では、第２貫通孔６６が第５開口４５と重なって連通し、第１貫通孔６５はシール部材３５によって閉塞される。これによって、蛇口２００から原水導入口２１へと導入された原水は、弁室１５へと流れ、第２貫通孔６６および第５開口４５を通じて原水シャワー流路５５へと流れ、第１流出口２６および第２流出口２７の周りで開口しているシャワー穴２８から流れ出る。
【００３８】
図１２は、第２流出口２７から浄水を流出させるときの水の経路を示す模式図である。この状態には、弁体３６が図１１の状態から右回りに４５°回転するように切換レバー１１を操作することによって切り換わる。この状態では、第１貫通孔６５が第３開口４３と重なって連通し、第２貫通孔６６がシール部材３５によって閉塞される。また、弁体３６の流路溝６３によって第４開口４４と第２開口４２とが接続される。これによって、蛇口２００から原水導入口２１へと導入された原水は、弁室１５へと流れ、第１貫通孔６５および第３開口４３を通じて第１ポート流路５３へと流れ、第１ポート３３から第１導水管１２１を通じて浄水器１１０の入口に供給される。浄水器１１０で浄化され、第２ポート３４に流入した浄水は、第２ポート流路５４を通じて第４開口４４へと流れ、流路溝６３を介して、第２開口４２へと流入する。そして、処理水導出流路５２を通じて、第２流出口２７から切換弁１０の外部へと流れ出る。
【００３９】
図１３は、逆洗のときの水の経路を示す模式図である。この状態には、弁体３６が図１０の状態から左回りに９０°回転するように切換レバー１１を操作することによって切り換わる。この状態では、第１貫通孔６５が第４開口４４と重なって連通し、第２貫通孔６６がシール部材３５によって閉塞される。また、弁体３６の流路溝６３によって第３開口４３と第２開口４２とが接続される。これによって、蛇口２００から原水導入口２１へと導入された原水は、弁室１５へと流れ、第１貫通孔６５および第４開口４４を通じて第２ポート流路５４へと流れ、第２ポート３４から第２導水管１２２を通じて浄水器１１０の出口に供給される。浄水器１１０内を逆流し、カートリッジ１１５の異物を除去した逆洗排水は、浄水器１１０から第１ポート３３を通じて切換弁１０に戻される。逆洗排水は、第１ポート流路５３を通じて第３開口４３へと流れ、流路溝６３を介して、第２開口４２へと流入する。そして、処理水導出流路５２を通じて、第２流出口２７から切換弁１０の外部へと流れ出る。
【００４０】
このように、切換弁１０によれば、切換レバー１１の回動操作で、原水を第１流出口２６やシャワー穴２８から流出させる状態、および、浄水を第２流出口２７から流出させる状態のみならず、逆洗をおこなう状態へも簡易に切り換えることができる。また、切換弁１０では、弁体３６の流路溝６３と第１貫通孔６５の位置関係および弁座部４０における第２開口４２、第３開口４３、および、第４開口４４の位置関係によって、浄水を流出させるときと逆洗を行うときとでは、弁体３６の回転角度が１８０°異なる。これにより、逆洗に切り換えるための弁体３６の回転角度が大きくなるため、切換弁１０の切換レバー１１の誤操作によって、逆洗の状態に切り換わってしまうことが抑制される。
【００４１】
図１０〜図１３のいずれの状態においても、蛇口２００から流出した原水は、まず、弁室１５に導入されている。これによって、原水が切換弁１０に導入されるときには、常に、原水の圧力によって、弁体３６が弁座部４０の方へと押し付けられた状態となるため、弁体３６と弁座部４０との間に隙間が生じることが抑制され、弁体３６と弁座部４０との間の水密性が高められている。よって、切換弁１０内における流路間の水漏れの発生が抑制される。ここで、浄水を第２流出口２７から流出させる図１２に示す状態のときや、逆洗排水を第２流出口２７から流出させる図１３に示す状態のときには、流路溝６３に水が流れ、弁座部４０側から弁体３６側へと向かう方向への圧力が生じている。しかしながら、この圧力は、浄水器１１０を経由した処理水の圧力であるため、流路溝６３に至るまでの圧力損失によって、弁室１５に導入される原水の圧力よりもきわめて小さくなっている。また、流路溝６３の形成されている面積は、弁体３６が原水から圧力を受ける面積よりもきわめて小さいため、流路溝６３に処理水が流れることによって弁座部４０と弁体３６との間の水密性が低下することはほとんどない。よって、切換弁１０によれば、切換弁１０内における流路間での水漏れの発生が抑制された状態で逆洗を行うことができる。そのため、逆洗を行っているときに、切換弁１０内で水漏れが生じて、浄水器１１０に送り出される原水の圧力が低下し、浄水器１１０を十分に洗浄できなくなってしまうことが抑制される。
【００４２】
以上のように、本実施形態の切換弁１０によれば、回転板によって構成されている弁体３６を、切換レバー１１の回動操作によって回転させることにより、浄水器１１０を洗浄する逆洗の状態へと簡易に切り換えることができる。また、本実施形態の切換弁１０によれば、弁体３６の板面が原水から弁座部４０に向かう方向への圧力を受けているため、弁体３６と弁座部４０との間において流路間の水漏れが発生することが抑制される。よって、浄水器１１０に対する逆洗を行うときに、そうした水漏れが発生することによって、浄水器１１０に送り出される原水の圧力が低下してしまい、浄水器１１０を十分に洗浄できなくなってしまうことが抑制される。
【００４３】
２．他の実施形態：
本開示の技術は、上述した構成に限定されることはない。例えば、以下のように改変することが可能である。上記実施形態において、弁体３６は円盤状に構成されていなくてもよく、例えば、多角形形状の外周輪郭形状を有する回転板によって構成されていてもよい。上記実施形態において、弁座部４０の第１開口４１、第２開口４２、第３開口４３、第４開口４４、および、第５開口４５はそれぞれ異なる配列構成であってもよい。上記実施形態において、シール部材３５および付勢部材３７の少なくとも一方が省略されてもよい。上記実施形態において、切換弁１１は、原水をシャワー穴２８から流出させる状態への切換ができなくてもよい。この場合には、弁体３６の第２貫通孔６６や、弁座部４０の第５開口４５、原水シャワー流路５５、シャワー穴２８は省略されてもよい。
【符号の説明】
【００４４】
１０…切換弁、１１…切換レバー、１２…本体部、１３…ハウジング、１５…弁室、１６…上端開口、１７…下端開口、１８…側面開口、１９…筒部、２０…蛇口固定部、２１…原水導入口、２２…固定部材、２３…シールプレート、２５…流出部、２６…第１流出口、２７…第２流出口、２８…シャワー穴、３０…出口カバー部材、３１…保持部材、３３…第１ポート、３４…第２ポート、３５…シール部材、３６…弁体、３７…付勢部材、３８…回転軸部材、３９…軸保持部材、４０…弁座部、４１…第１開口、４２…第２開口、４３…第３開口、４４…第４開口、４５…第５開口、５１…原水導出流路、５２…処理水導出流路、５３…第１ポート流路、５４…第２ポート流路、５５…原水シャワー流路、６１…第１面、６２…第２面、６３…流路溝、６４…凸部、６５…第１貫通孔、６６…第２貫通孔、１００…浄水システム、１１０…浄水器、１１５…カートリッジ、１２１…第１導水管、１２２…第２導水管、２００…蛇口、ＲＸ…回転軸
【図１】
0006970987.tif 000002
【図２】
0006970987.tif 000003
【図３】
0006970987.tif 000004
【図４】
0006970987.tif 000005
【図５】
0006970987.tif 000006
【図６】
0006970987.tif 000007
【図７】
0006970987.tif 000008
【図８】
0006970987.tif 000009
【図９Ａ】
0006970987.tif 000010
【図９Ｂ】
0006970987.tif 000011
【図１０】
0006970987.tif 000012
【図１１】
0006970987.tif 000013
【図１２】
0006970987.tif 000014
【図１３】
0006970987.tif 000015